(57)【特許請求の範囲】
【請求項１】
被掛け体へ引っ掛けるためのフック部と、このフック部に連結部材を介して吊り下げられたフレームと、このフレームに設けられた複数個のピンチとを備えた物干し具であって、前記フック部の基部には前記連結部材により前記フレームと連結されるフランジ部を設けるとともに，前記連結部材は柔軟性を備えた合成樹脂の線体で構成し，前記フレームは，左右のフレームを回動可能に連結することで折り畳み可能なフレームとするとともに，前記フレームには、物干し具不使用時に前記フック部を係止しておくことが可能な係止部を設けて，この係止部は，前記フック部の基部に設けられたフランジ部が嵌め込まれて係止される係止溝と，前記フック部の頂部あるいはその近傍部分が嵌め込まれて係止される丸溝とを有する構成とし，前記フック部は，上記左右のフレームを折り畳む際の回動中心側において，かつ，フレームの内側においてフレームに沿って係止されることを特徴とする物干し具。
【発明の詳細な説明】
【０００１】
本発明は物干し具に関する。より詳しくは、被掛け体へ引っ掛けるためのフック部が、不使用時に連結部材やフレーム、あるいはピンチなどに、引っ掛かって絡み付くのを防止することができる物干し具に関するものである。
【０００２】
【従来の技術】
図１５は従来の物干し具を示す斜視図である。
【０００３】
同図において、１は図示しない物干し竿等の被掛け体へ引っ掛けるためのフック部、２ａ，２ｂはこのフック部１に鎖やベルト等の連結部材３を介して吊り下げられた左右一対のフレーム、４はこのフレーム２ａ，２ｂに吊り下げられた複数個のピンチである。
【０００４】
フレーム２ａ，２ｂは、ヒンジ部５により図中矢印Ｘ１，Ｘ２方向に回動可能に連結されている。
【０００５】
このような物干し具によれば、不使用時にはフレーム２ａ，２ｂを２つ折にして畳むことにより、コンパクトな形状にして収納することができる。
【０００６】
また、使用時には、フレーム２ａ，２ｂを広げ、ピンチ４に洗濯物を挟んで干すことができる。
【０００７】
【発明が解決しようとする課題】
上述した従来の物干し具は不使用時にフック部１が連結部材３やフレーム２ａ，２ｂ、あるいはピンチ４などに引っ掛かって絡み付きやすく煩雑であるという問題があった。
【０００８】
特に、フレーム２ａ，２ｂを折り畳んだ状態から広げる際に、フック部１がフレーム２ａ，２ｂ等に引っ掛かりやすく、フレーム２ａ，２ｂをスムーズに広げることができないという問題があった。
【０００９】
本発明の目的は以上のような課題を解決し、物干し具不使用時にフック部が連結部材やフレーム、あるいはピンチなどに引っ掛かるのを防止することができる物干し具を提供することにある。
【００１０】
【課題を解決するための手段】
上記目的を達成するために請求項１記載の物干し具は、被掛け体へ引っ掛けるためのフック部と、このフック部に連結部材を介して吊り下げられたフレームと、このフレームに設けられた複数個のピンチとを備えた物干し具であって、前記フック部の基部には前記連結部材により前記フレームと連結されるフランジ部を設けるとともに，前記連結部材は柔軟性を備えた合成樹脂の線体で構成し，前記フレームは，左右のフレームを回動可能に連結することで折り畳み可能なフレームとするとともに，前記フレームには、物干し具不使用時に前記フック部を係止しておくことが可能な係止部を設けて，この係止部は，前記フック部の基部に設けられたフランジ部が嵌め込まれて係止される係止溝と，前記フック部の頂部あるいはその近傍部分が嵌め込まれて係止される丸溝とを有する構成とし，前記フック部は，上記左右のフレームを折り畳む際の回動中心側において，かつ，フレームの内側においてフレームに沿って係止されることを特徴とする。
【００１１】
【作用効果】
請求項１記載の物干し具によれば、フレームにはフック部を係止しておくことが可能な係止部が設けられているので、物干し具不使用時にはこの係止部にフック部を係止しておくことにより、フック部が連結部材やフレーム、あるいはピンチなどに引っ掛かって絡み付くのを防止することができる。
【００１２】
このように、フック部が連結部材やフレーム、あるいはピンチなどに引っ掛かって絡み付くのが防止されるので、使用時には、フック部を係止部より外すことにより、被掛け体へスムーズに引っ掛けることができるという効果が得られる。
【００１３】
特に、折り畳み可能なフレームを有する物干し具においては、フレームを、折り畳んだ状態から広げる際に、フック部が連結部材やフレーム、あるいはピンチなどに引っ掛かることがなくなるので、フレームをスムーズに広げることができるという効果が得られる。
【００１４】
【発明の実施の形態】
以下、本発明の実施の形態について図面を参照して説明する。
【００１５】
図１は本発明に係る物干し具の一実施の形態を示す平面図、図２は同じく正面図である。図３はフレームを示す図で、（ａ）は平面図、（ｂ）は正面図、（ｃ）は図（ａ）におけるｃ−ｃ線断面図である。
【００１６】
図１，図２において、１０は図示しない物干し竿やロープ等の被掛け体へ引っ掛けるためのフック部、２０ａ，２０ｂはこのフック部１０に連結部材３０を介して吊り下げられた左右一対のフレーム、４０はこのフレーム２０ａ，２０ｂに吊下部材５０で吊り下げられ、フレーム内に収納可能な複数個のピンチである。
【００１７】
フック部１０、左フレーム２０ａ，右フレーム２０ｂ、ピンチ４０は、いずれも、比較的硬質の合成樹脂により形成されている。
【００１８】
一方、連結部材３０、吊下部材５０は、いずれも、柔軟性を備えた合成樹脂により形成されている。
【００１９】
フック部１０は、図２に示すように、その下部１０ａが基部１０ｂに形成された図示しない孔に嵌め込まれて、水平方向に回動可能に取り付けられている。
【００２０】
この実施の形態では、左フレーム２０ａと右フレーム２０ｂとに、同一形状のフレーム２０（図３参照）を用いている。すなわち、図３に示すようなフレーム２０を一対用意し、一方のフレームを左フレーム２０ａとして用い、他方のフレームを平面視で１８０゜回転させた状態でこれを右フレーム２０ｂとして用いている。
【００２１】
したがって、左右のフレーム２０ａ，２０ｂが連結された状態では、図１に示すように、正面側で左フレーム２０ａの一端部２１と右フレーム２０ｂの他端部２２とが重なり合って連結され、背面側で左フレーム２０ａの他端部２２と右フレーム２０ｂの一端部２１とが重なり合って連結される。
【００２２】
左フレーム２０ａと右フレーム２０ｂとの連結構造について、図４，図５を参照して説明する。
【００２３】
図４は左フレーム２０ａの一端部２１（右フレーム２０ｂの一端部２１でもある（図１，図３参照））を示す図で、（ａ）は正断面図（図（ｄ）におけるａ−ａ線断面図）、（ｂ）は平面図、（ｃ）は底面図、（ｄ）は側面図である。
【００２４】
図５は右フレーム２０ｂの他端部２２（左フレーム２０ａの他端部２２でもある（図１，図３参照））を示す図で、（ａ）は正断面図（図（ｄ）におけるａ−ａ線断面図）、（ｂ）は平面図、（ｃ）は底面図、（ｄ）は側面図である。
【００２５】
なお、左右のフレーム２０ａ，２０ｂの正面側と背面側とにおける連結構造は、実質的に同一構造となっているので、以下正面側における連結構造についてのみ説明する。
【００２６】
図４に示すように、左フレーム２０ａの一端部２１には、丸形の凹部２１ａと、円板部２１ｂが形成されている。円板部２１ｂの中央にはピン７０（図２、図６参照）の挿通孔２１ｃが設けられている。
【００２７】
図５に示すように、右フレーム２０ｂの他端部２２は、上述した一端部２１の円板部２１ｂと略同一形状の円板部２２ａを間隔を隔てて２個並べた構造となっており、その間隙部２２ｂに、左フレーム２０ａの円板部２１ｂが嵌め込まれるようになっている。
【００２８】
組立時には、一端部２１の円板部２１ｂを他端部２２の円板部２２ａの間隙部２２ｂに嵌め込んでおいてから、図６（ａ）（ｂ）に示したピン７０を、円板部２１ｂ，２２ａの挿通孔２１ｃ，２２ｃに挿通し、ピン７０の段部７１を円板部２２ａの口縁２２ｄ（図５（ｃ）参照）に係合させる。これにより、円板部２１ｂ、２２ａが連結されて、左右のフレーム２０ａ，２０ｂが、ピン７０を中心として回動可能となり、折り畳み自在となる。なお、左右のフレーム２０ａ，２０ｂは、図２に示すように、左右に広げられると、その端部２０ａ１，２０ｂ１同士が当接して略水平状態で保たれる。
【００２９】
図１，図２および図７（ａ）（ｂ）に示すように、左右のフレーム２０ａ，２０ｂには、係合突片２９ａが設けられており、これが折り畳み時に対向するフレームに設けられた切欠部２９ｂ（図１，図８参照）に係合することにより、左右のフレーム２０ａ，２０ｂは折り畳まれた状態で保持されることとなる（図８（ｂ）参照）。
【００３０】
フレーム２０は、図３（ａ）に示すように、平面視略Ｄ字形に形成されており、内フレーム２３を有している。内フレーム２３の側部には、不使用時にフック部１０を係止しておくための係止部２４，２５が設けられている。
【００３１】
一方の係止部２４には、係止溝２４ａが形成されており、図８（ａ）に示すように、この係止溝２４ａにフック部１０の基部１０ｂのフランジ部１０ｃが嵌め込まれて係止されるようになっている。また、他方の係止部２５には、丸溝２５ａが形成されており、この丸溝２５ａにフック部１０の頂部１０ｅあるいはその近傍部分が嵌め込まれて係止されるようになっている。図８（ａ）に示すように、係止部２５は、物干し具を折り畳んだ状態で、係止部２４の両側に一対配置されるようになっており、フック部１０は内フレーム２３の軸線方向のどちら側にも倒されて係止されるようになっている。
【００３２】
なお、図９に示すように、係止部２５はその丸溝２５ａを内フレーム２３の軸線方向に向けて開口するように形成しても良い。この場合、フック部１０は縦向きにされて係止される。
【００３３】
フレーム２０は、図３（ｃ）に示すように、断面逆凹形の溝２６を有しており、この溝２６内にピンチ４０が収納されるようになっている。溝２６は、その溝幅Ｗ１がピンチ４０（図１１参照）の摘み部４１，４２の最大幅Ｗ２よりも若干狭く形成されている。これにより、図１３（ａ）（ｂ）に示すように、ピンチ４０は、溝２６の幅方向の内壁２６ａ，２６ａに対して左右の摘み部４１，４２がそれぞれ当接するようにして、溝２６内に平に押し込まれる。溝２６内に押し込まれたピンチ４０は、ピンチ４０自身の有するばね４３の附勢力によって、溝２６の幅方向の内壁２６ａ，２６ａに対して左右の摘み部４１，４２が突っ張るようにして係止されることとなり、その結果、溝２６内からピンチ４０が抜け落ちにくくなる。
【００３４】
図１０に示すように、フレーム２０には、縦孔２７ａと横孔２７ｂとからなる平面視Ｔ字形の挿通孔２７が形成されており、この挿通孔２７の下方には、図１０（ｂ）（ｃ）に示すように、吊下部材５０を保持するための枢着部２８が突設されている。この枢着部２８には、同図（ｂ）（ｃ）に示すように、横孔２７ｂと略同一の溝幅Ｗ１１を有する溝部２８ａが設けられている。横孔２７ｂと溝部２８とは連通しているので、別言すれば、横孔２７ｂはフレーム２０を上下方向に貫通しており、その一部によって前記溝部２８ａが形成されているということになる。
【００３５】
一方、図１１に示すように、吊下部材５０の上端部５０ａには、上述した枢着部２８に枢支される水平部５１ａと垂直部５１ｂとからなるＴ字形の連結部５１が設けられている。また、吊下部材５０の下端部５０ｂには挿通孔５０ｂ１が設けられており、この挿通孔５０ｂ１にピンチ４０のばね４３が通されて、ピンチ４０と吊下部材５０とが連結されている。
【００３６】
連結部５１は、図１２（ａ）（ｂ）に示すように、枢着部２８の溝部２８ａと挿通孔２７の横孔２７ｂ、および縦孔２７ａの一部を通ってフレーム２０の上方に引き出し可能であり、引き出し後、図１２（ｂ）（ｃ）に示すように、９０度回転させて下動させることによって、図１０各図に示すように、その水平部５１ａが枢着部２８に緩く嵌まり合って枢支されるようになっている。
【００３７】
詳しく説明すると、ピンチ４０は次のようにして左右のフレーム２０ａ，２０ｂに取り付けられる。
【００３８】
まず、吊下部材５０（図１１参照）の下端部５０ｂにピンチ４０のばね４３を通し、このばね４３を摘み部４１，４２に嵌め込んで、吊下部材５０付きのピンチ４０を組み立てる。
【００３９】
次に、図１２（ａ）に示すように、吊下部材５０の連結部５１を、撓ませながら枢着部２８の溝部２８ａに挿入し、横孔２７ｂを通して、図１２（ｂ）に示すように、連結部５１をフレーム２０の上面に引き出す。その後、吊下部材５０をその軸線Ｙ１を中心として約９０度回動させ、図１２（ｃ）に示すように、連結部５１の水平部５１ａを挿通孔２７の縦孔２７ａに合わせるようにして、吊下部材５０を下方へ引き下げる。
【００４０】
これにより、連結部５１が枢着部２８に係止され、吊下部材５０が枢着部２８に対して回動可能に吊持される。
【００４１】
上述した横孔２７ｂは、連結部５１の水平部５１ａの軸径と等しいかあるいは僅かに大きい幅を有し、かつ、水平部５１ａの長さ寸法と等しいかあるいは僅かに短い寸法を有している。また、縦孔２７ａは水平部５１ａの軸径と等しいかあるいは僅かに大きい幅を有し、かつ、水平部５１ａの長さ寸法と等しいかあるいは僅かに長い寸法を有している。すなわち、これらの孔は、水平部５１ａを挿通するのに最低限必要な大きさを備えたものとなっている。したがって、フレーム２０ａ，２０ｂに形成される挿通孔２７の大きさが極力小さなものとなり、フレーム２０ａ，２０ｂの見栄えを良くすることができる。
【００４２】
枢着部２８は連結部５１の水平部５１ａを両側から包むようにして保持する。これにより、使用時に下方向へ吊下部材５０が引っ張られても、抜け落ちにくくなっている。
【００４３】
連結部５１の下部には、図１０（ｂ）（ｃ）に示すように、突部５１ｃが設けられている。この突部５１ｃは枢着部２８に連結部５１が保持された状態（一点鎖線で図示）で枢着部２８の下方に位置して枢着部２８の下部２８ｂまたは外郭２８ｃに当接して、連結部５１が上動するのを規制するようになっている。これにより、連結部５１が枢着部２８の上方に突出するのが防止されることとなり、物干し具の見栄えが良くなる。
【００４４】
吊下部材５０は、枢着部２８に連結部５１が保持された状態で、水平部５１ａを軸として、フレーム２０の軸線方向、すなわち、溝２６の軸線方向に沿って（枢着部２８の溝部２８ａに沿って）のみ回動可能であり、かつ、図１０（ｂ）中矢印Ｘ１１，Ｘ１２方向にのみ回動可能となっている。すなわち、溝部２８ａは枢着部２８の片側にのみ形成されているので、ピンチ４０は、溝２６の軸線方向に沿って一方向（図１０（ｂ）中矢印Ｘ１１方向）にのみ回動して溝２６内に収納される（図１３参照）。
【００４５】
これにより、溝内にピンチ４０を収納する際に、隣接するピンチ４０同士が重なりあって絡み付くことがなくなり、ピンチ４０は、図１４に示すように、フレーム２０ａ，２０ｂの溝２６内に整然と収納される。なお、ピンチの吊下部材５０は柔軟性を備えているので、フレーム２０ａ，２０ｂの曲がった箇所Ｍにおいても、これに沿わせて吊下部材５０を曲げてピンチ４０を収納することができる。
【００４６】
図１３（ａ）（ｂ）に示すように、溝２６内にピンチ４０が略平に寝かされて収納された状態で、ピンチ４０の空所４４内には、このピンチ４０に隣接する図示しないピンチの吊下部材５０’の枢着部２８’が入り込むようになっている。
【００４７】
これにより、溝２６内で枢着部２８とピンチ４０とが干渉しなくなる。したがって、ピンチ４０の収納に際して枢着部２８が邪魔にならず、溝２６内に良好にピンチ４０が収納される。また、枢着部２８とピンチ４０とが干渉しないので、その分、溝２６内の底部２６ｂにピンチ４０を近づけた状態で収納することができ、その結果、フレーム２０ａ（２０ｂ）の厚みを小さくすることが可能となる。
【００４８】
上述した本実施の形態の物干し具によれば、フレーム２０ａ，２０ｂの内フレーム２３にフック部１０を係止しておくことが可能な係止部２４，２５が設けられているので、物干し具不使用時にはこの係止部２４，２５にフック部１０を係止しておくことにより、フック部１０が連結部材３０やフレーム２０ａ，２０ｂ、あるいはピンチ４０などに引っ掛かって絡み付くのを防止することができる。
【００４９】
このように、フック部１０が連結部材３０やフレーム２０ａ，２０ｂ、あるいはピンチ４０などに引っ掛かって絡み付くのが防止されるので、使用時には、フック部１０を係止部２４，２５より外すことにより、図示しない被掛け体へスムーズに引っ掛けることができるという効果が得られる。
【００５０】
特に、本実施の形態のような折り畳み可能なフレーム２０ａ，２０ｂを有する物干し具においては、左右のフレーム２０ａ，２０ｂを、折り畳んだ状態から広げる際に、フック部１０が連結部材３０や左右のフレーム２０ａ，２０ｂ、あるいはピンチ４０などに引っ掛かることがなくなるので、左右のフレーム２０ａ，２０ｂをスムーズに広げることができるという効果が得られる。
【００５１】
なお、図９に示すように、係止部２５はその丸溝２５ａを内フレーム２３の軸線方向に向けて開口するように形成しても良い。この場合、フック部１０は縦向きにされて係止される。
【００５２】
以上、本発明の実施の形態について説明したが、本発明は上記の実施の形態に限定されるものではなく、本発明の要旨の範囲内において適宜変形実施可能である。
【００５３】
例えば、係止部２４，２５の形状は上述した実施の形態のものに限らず、適宜のものを採用し得る。
【００５４】
また、係止部２５は係止部２４の必ずしも両側に配置されるように設ける必要はなく、どちらか一方側でもよい。
【００５５】
【図面の簡単な説明】
【図１】本発明に係る物干し具の一実施の形態を示す平面図。
【図２】同じく正面図。
【図３】フレーム体を示す図で、（ａ）は平面図、（ｂ）は正面図、（ｃ）は図（ａ）におけるｃ−ｃ断面図。
【図４】左フレーム２０ａの一端部２１を示す図で、（ａ）は正断面図（図（ｄ）におけるａ−ａ線断面図）、（ｂ）は平面図、（ｃ）は底面図、（ｄ）は側面図。
【図５】右フレーム２０ｂの他端部２２を示す図で、（ａ）は正断面図（図（ｄ）におけるａ−ａ線断面図）、（ｂ）は平面図、（ｃ）は底面図、（ｄ）は側面図。
【図６】  固定ピンを示す図で、（ａ）は拡大側面図、（ｂ）は図（ａ）を正面図とした場合の左側面図。
【図７】係止部材を示す図で、（ａ）は拡大平面図、（ｂ）は拡大正面図。
【図８】折り畳んだ状態の物干し具を示した図で、（ａ）は拡大正面図、（ｂ）は拡大右側面図。
【図９】変形例を示す斜視図。
【図１０】挿通孔を示す図で、（ａ）は平面図、（ｂ）は図（ａ）におけるｂ−ｂ線断面図、（ｃ）は図（ａ）におけるｃ−ｃ線断面図。
【図１１】吊下部材とピンチとの拡大正面図。
【図１２】（ａ）〜（ｃ）は吊下部材を保持部へ取り付ける際の取付説明図。
【図１３】フレームにピンチを収納した状態を示す模式図で、（ａ）は溝内を透視した正面図、（ｂ）は底面図。
【図１４】フレームにピンチを収納した状態を示す模式図。
【図１５】（ａ）（ｂ）は従来技術の説明図。
【符号の説明】
１０                フック部
２０                フレーム
３０                連結部材
４０                ピンチ
５０                吊下部材
【図１】
0004229494.tif 000002
【図２】
0004229494.tif 000003
【図３】
0004229494.tif 000004
【図４】
0004229494.tif 000005
【図５】
0004229494.tif 000006
【図６】
0004229494.tif 000007
【図７】
0004229494.tif 000008
【図８】
0004229494.tif 000009
【図９】
0004229494.tif 000010
【図１０】
0004229494.tif 000011
【図１１】
0004229494.tif 000012
【図１２】
0004229494.tif 000013
【図１３】
0004229494.tif 000014
【図１４】
0004229494.tif 000015
【図１５】
0004229494.tif 000016